(57)【特許請求の範囲】
【請求項１】
１以上の画像処理を実行する機器とネットワークを介して接続された情報処理装置を、
前記１以上の機器のうちのいずれかの機器のアドレスを示す第１のアドレス情報と、前記１以上の機器のうちのいずれかの機器を識別する第１の機器固有情報とを近距離無線通信を介して取得する第１の取得手段、
前記第１の取得手段により取得された第１のアドレス情報に基づいて該第１のアドレス情報が示す機器に接続し、該第１のアドレス情報が示す機器を識別する第２の機器固有情報を該第１のアドレス情報が示す機器から前記近距離無線通信とは異なる無線通信を介して取得する第２の取得手段、
前記第１の取得手段により前記近距離無線通信を介して取得された第１の機器固有情報と、前記第２の取得手段により前記近距離無線通信とは異なる無線通信を介して取得された第２の機器固有情報とによって同一の機器が識別されるか否かを判定する判定手段、
前記判定手段により前記第１の機器固有情報と前記第２の機器固有情報とによって同一の機器が識別されると判定された場合、前記第１の取得手段により取得された第１のアドレス情報が示す機器に対して該機器が実行する前記画像処理の対象となるデータを送信することで該機器に対して前記画像処理を要求する処理要求手段、
として機能させるためのプログラム。
【請求項２】
前記情報処理装置を、
前記判定手段により前記第１の機器固有情報と前記第２の機器固有情報とによって同一の機器が識別されると判定されなかった場合、前記情報処理装置の表示部に、前記第１の機器固有情報により識別される機器のアドレスが変更にされたことを示す所定の画面を表示させる表示手段、
として機能させるための請求項１記載のプログラム。
【請求項３】
前記第１の取得手段は、さらに、前記第１の機器固有情報により識別される機器のアドレスを取得するための第２のアドレス情報を取得し、
前記情報処理装置は、
前記判定手段により前記第１の機器固有情報と前記第２の機器固有情報とによって同一の機器が識別されると判定されなかった場合、前記第２のアドレス情報に基づいて前記第１の機器固有情報により識別される機器のアドレスを示す第３のアドレス情報を取得する第３の取得手段、
として機能させ、
前記処理要求手段は、前記第３の取得手段により取得された第３のアドレス情報が示す機器に対して該機器が実行する前記画像処理の対象となるデータを送信することで該機器に対して前記画像処理を要求する、請求項１記載のプログラム。
【請求項４】
前記情報処理装置は、
所定の情報媒体に記憶されている前記第１のアドレス情報を、前記第３の取得手段により取得された第３のアドレス情報で更新する更新手段、
として機能させるための請求項３記載のプログラム。
【請求項５】
前記第１の取得手段は、前記近距離無線通信を介して、前記第１のアドレス情報と前記第１の機器固有情報とを取得する、請求項１ないし４のいずれか１項に記載のプログラム。
【請求項６】
前記第１の取得手段は、所定のコードを前記情報処理装置の撮像部を介して読み取ることで、前記第１のアドレス情報と前記第１の機器固有情報とを取得する、請求項１ないし４のいずれか１項に記載のプログラム。
【請求項７】
前記第２の取得手段は、前記第１のアドレス情報が示す機器のＭＩＢから前記第２の機器固有情報を取得する、請求項１ないし６のいずれか１項に記載のプログラム。
【請求項８】
前記第２の取得手段は、前記第１のアドレス情報が示す機器が提供するＷｅｂＡＰＩを介して前記第２の機器固有情報を取得する、請求項１ないし６のいずれか１項に記載のプログラム。
【請求項９】
１以上の画像処理を実行する機器とネットワークを介して接続された情報処理装置であって、
前記１以上の機器のうちのいずれかの機器のアドレスを示す第１のアドレス情報と、前記１以上の機器のうちのいずれかの機器を識別する第１の機器固有情報とを近距離無線通信を介して取得する第１の取得手段と、
前記第１の取得手段により取得された第１のアドレス情報に基づいて該第１のアドレス情報が示す機器に接続し、該第１のアドレス情報が示す機器を識別する第２の機器固有情報を該第１のアドレス情報が示す機器から前記近距離無線通信とは異なる無線通信を介して取得する第２の取得手段と、
前記第１の取得手段により前記近距離無線通信を介して取得された第１の機器固有情報と、前記第２の取得手段により前記近距離無線通信とは異なる無線通信を介して取得された第２の機器固有情報とによって同一の機器が識別されるか否かを判定する判定手段と、
前記判定手段により前記第１の機器固有情報と前記第２の機器固有情報とによって同一の機器が識別されると判定された場合、前記第１の取得手段により取得された第１のアドレス情報が示す機器に対して該機器が実行する前記画像処理の対象となるデータを送信することで該機器に対して前記画像処理を要求する処理要求手段と、
を有する情報処理装置。
【請求項１０】
１以上の画像処理を実行する機器と、該１以上の画像処理を実行する機器とネットワークを介して接続された情報処理装置とを有する情報処理システムであって、
前記１以上の機器のうちのいずれかの機器のアドレスを示す第１のアドレス情報と、前記１以上の機器のうちのいずれかの機器を識別する第１の機器固有情報とを近距離無線通信を介して取得する第１の取得手段と、
前記第１の取得手段により取得された第１のアドレス情報に基づいて該第１のアドレス情報が示す機器に接続し、該第１のアドレス情報が示す機器を識別する第２の機器固有情報を該第１のアドレス情報が示す機器から前記近距離無線通信とは異なる無線通信を介して取得する第２の取得手段と、
前記第１の取得手段により前記近距離無線通信を介して取得された第１の機器固有情報と、前記第２の取得手段により前記近距離無線通信とは異なる無線通信を介して取得された第２の機器固有情報とによって同一の機器が識別されるか否かを判定する判定手段と、
前記判定手段により前記第１の機器固有情報と前記第２の機器固有情報とによって同一の機器が識別されると判定された場合、前記第１の取得手段により取得された第１のアドレス情報が示す機器に対して該機器が実行する前記画像処理の対象となるデータを送信することで該機器に対して前記画像処理を要求する処理要求手段と、
を有する情報処理システム。
【請求項１１】
１以上の画像処理を実行する機器とネットワークを介して接続された情報処理装置に用いられる情報処理方法であって、
前記１以上の機器のうちのいずれかの機器のアドレスを示す第１のアドレス情報と、前記１以上の機器のうちのいずれかの機器を識別する第１の機器固有情報とを近距離無線通信を介して取得する第１の取得手順と、
前記第１の取得手順により取得された第１のアドレス情報に基づいて該第１のアドレス情報が示す機器に接続し、該第１のアドレス情報が示す機器を識別する第２の機器固有情報を該第１のアドレス情報が示す機器から前記近距離無線通信とは異なる無線通信を介して取得する第２の取得手順と、
前記第１の取得手順により前記近距離無線通信を介して取得された第１の機器固有情報と、前記第２の取得手順により前記近距離無線通信とは異なる無線通信を介して取得された第２の機器固有情報とによって同一の機器が識別されるか否かを判定する判定手順と、
前記判定手順により前記第１の機器固有情報と前記第２の機器固有情報とによって同一の機器が識別されると判定された場合、前記第１の取得手順により取得された第１のアドレス情報が示す機器に対して該機器が実行する前記画像処理の対象となるデータを送信することで該機器に対して前記画像処理を要求する処理要求手順と、
を有する情報処理方法。
【請求項１２】
１以上の画像処理装置と、該１以上の画像処理装置とネットワークを介して接続された情報処理装置に搭載されたプログラムとを有する情報処理システムであって、
前記１以上の画像処理装置のうちのいずれかの画像処理装置のアドレスを示す第１のアドレス情報と、前記１以上の画像処理装置のうちのいずれかの画像処理装置を識別する第１の機器固有情報とを近距離無線通信を介して取得する第１の取得手段と、
前記第１の取得手段により取得された第１のアドレス情報に基づいて該第１のアドレス情報が示す画像処理装置に接続し、該第１のアドレス情報が示す画像処理装置を識別する第２の機器固有情報を該第１のアドレス情報が示す画像処理装置から前記近距離無線通信とは異なる無線通信を介して取得する第２の取得手段と、
前記第１の取得手段により前記近距離無線通信を介して取得された第１の機器固有情報と、前記第２の取得手段により前記近距離無線通信とは異なる無線通信を介して取得された第２の機器固有情報とによって同一の画像処理装置が識別されるか否かを判定する判定手段と、
前記判定手段により前記第１の機器固有情報と前記第２の機器固有情報とによって同一の画像処理装置が識別されると判定された場合、前記第１の取得手段により取得された第１のアドレス情報が示す画像処理装置に対して該画像処理装置が実行する画像処理の対象となるデータを送信することで該画像処理装置に対して前記画像処理を要求する処理要求手段と、
前記処理要求手段により前記画像処理の要求を受け付けると、該画像処理を行う画像処理手段と、
を有する情報処理システム。
【発明の詳細な説明】
【技術分野】
【０００１】
本発明は、プログラム、情報処理装置、情報処理システム、及び情報処理方法に関する。
【背景技術】
【０００２】
ＮＦＣ（Near Field Communication）チップから無線通信を行うために必要なパラメータを取得する技術が従来より知られている（例えば特許文献１参照）。このような技術の応用として、携帯端末からＭＦＰ（MultiFunction Peripheral）などの画像形成装置の印刷やスキャンなどの各種機能を利用する際に、この画像形成装置と通信を行うために必要なＩＰ（Internet Protocol）アドレスなどのパラメータをＮＦＣチップから取得する技術が従来より知られている。
【発明の概要】
【発明が解決しようとする課題】
【０００３】
しかしながら、上記の従来技術においては、例えば、画像形成装置のＩＰアドレスがＤＨＣＰ（Dynamic Host Configuration Protocol）により動的に割り当てられているような場合、問題となる。すなわち、このような場合、ＮＦＣチップから取得したＩＰアドレスと、印刷やスキャンなどの機能を利用したい画像形成装置に割り当てられているＩＰアドレスとが異なる可能性があり、意図しない画像形成装置に対して機能の実行を行ってしまうことがあった。
【０００４】
本発明の一実施形態は、上記の点に鑑みてなされたもので、意図しない機器に対して処理要求を行うことを防止することを目的とする。
【課題を解決するための手段】
【０００５】
上記の目的を達成するため、本発明の一実施形態は、１以上の機器とネットワークを介して接続された情報処理装置を、前記１以上の機器のうちのいずれかの機器のアドレスを示す第１のアドレス情報と、前記１以上の機器のうちのいずれかの機器を識別する第１の機器固有情報とを取得する第１の取得手段、前記第１の取得手段により取得された第１のアドレス情報に基づき、該第１のアドレス情報が示す機器を識別する第２の機器固有情報を取得する第２の取得手段、前記第１の取得手段により取得された第１の機器固有情報と、前記第２の取得手段により取得された第２の機器固有情報とが同一であるか否かを判定する判定手段、前記判定手段により前記第１の機器固有情報と前記第２の機器固有情報とが同一であると判定された場合、前記第１の取得手段により取得された第１のアドレス情報が示す機器に対して所定の処理を要求する処理要求手段、として機能させることを特徴とする。
【発明の効果】
【０００６】
本発明の一実施形態によれば、意図しない機器に対して処理要求を行うことを防止することができる。
【図面の簡単な説明】
【０００７】
【図１】第１の実施形態に係る印刷システムの一例の構成図である。
【図２】第１の実施形態に係る携帯端末の一例のハードウェア構成図である。
【図３】第１の実施形態に係る画像形成装置及び情報媒体の一例のハードウェア構成図である。
【図４】第１の実施形態に係る印刷システムの一例の機能ブロック図である。
【図５】第１の実施形態に係る印刷処理の一例のフローチャートである。
【図６】第１の実施形態に係る印刷処理の一例のシーケンス図である。
【図７】警告画面の一例を説明するための図である。
【図８】第２の実施形態に係る印刷システムの一例の機能ブロック図である。
【図９】第２の実施形態に係る印刷処理の一例のフローチャートである。
【図１０】第２の実施形態に係る印刷処理の一例のシーケンス図である。
【図１１】第３の実施形態に係る画像形成装置及び情報媒体の一例のハードウェア構成図である。
【図１２】第３の実施形態に係る印刷システムの一例の機能ブロック図である。
【図１３】操作パネル及び本体部の電力状態の一例を説明するための図である。
【発明を実施するための形態】
【０００８】
次に、本発明の実施の形態について、詳細に説明する。
【０００９】
［第１の実施形態］
＜システム構成＞
まず、本実施形態に係る印刷システム１のシステム構成について説明する。図１は、第１の実施形態に係る印刷システムの一例の構成図である。図１の印刷システム１は、携帯端末１０と、１台以上の画像形成装置２０とが有線又は無線でネットワークＮ１に接続されている。特に、携帯端末１０は、ネットワークＮ１に無線で接続されているものとする。また、画像形成装置２０の筐体には、情報媒体３０が貼り付けられており、携帯端末１０と情報媒体３０とが近距離無線通信を介して通信可能なように構成されている。
【００１０】
携帯端末１０は、ユーザが操作するスマートフォンなどの端末装置である。携帯端末１０は、携帯電話、タブレット端末、ゲーム機、ＰＤＡ、デジタルカメラなどでもよい。携帯端末１０は、印刷対象データに印刷指示を行うことができるアプリケーション（印刷アプリケーション）が搭載（インストール）されており、携帯端末１０は、印刷指示に係る印刷対象データを含む印刷ジョブを生成し、画像形成装置２０に送信する。
【００１１】
また、携帯端末１０は、後述するようにＮＦＣチップなどの近距離無線通信装置を備えている。ユーザは、携帯端末１０を画像形成装置２０の筐体の所定の位置に貼り付けられている情報媒体３０にかざすことにより画像形成装置２０のＩＰアドレスなどを取得する。そして、携帯端末１０は、取得したＩＰアドレス宛に生成した印刷ジョブを送信することで、このＩＰアドレスが示す画像形成装置２０において印刷ジョブを実行させ、印刷対象データの印刷を行うことができる。
【００１２】
なお、印刷アプリケーションとは、印刷対象データに印刷指示を行うことができるブラウザ、文書作成ソフト、ビューワなどのアプリケーションである。
【００１３】
画像形成装置２０は、携帯端末１０から印刷ジョブを受け取り、印刷対象データの印刷を行うプリンタなどの画像処理装置である。なお、画像形成装置２０は、プリント機能の他、コピー機能、スキャナ機能、ＦＡＸ機能など複数の機能を有するＭＦＰなどの複合機でもよい。
【００１４】
また、画像形成装置２０は、例えば、プロジェクタ、電子黒板、デジタルサイネージなどの出力装置、スピーカ装置などの音響出力装置であってもよい。したがって、本実施形態では、情報処理システムの一例として印刷システムである場合について説明するが、これに限られず、例えば、画像形成装置２０の代わりに画像出力装置を用いた画像出力システムや画像形成装置２０の代わりにスピーカ装置を用いた音響出力システムなどであってもよい。換言すれば、本発明は、所定のジョブを生成する携帯端末１０と、携帯端末１０から受け取った所定のジョブを実行する機器とを用いた各種システムに適用することができる。
【００１５】
情報媒体３０は、画像形成装置２０の筐体の所定の位置に貼り付けられた、ＮＦＣチップなどの近距離無線通信装置である。すなわち、情報媒体３０は、ＮＦＣタグなどである。情報媒体３０には、この情報媒体３０が貼り付けられている画像形成装置２０のＩＰアドレス、画像形成装置２０を一意に識別する機器固有情報などの情報が記憶されている。携帯端末１０は、近距離無線通信を介して、情報媒体３０に記憶されているこれらの情報を取得することができる。すなわち、画像形成装置２０には、この画像形成装置２０の少なくともＩＰアドレスと機器固有情報とが記憶された情報媒体３０が貼り付けされており、携帯端末１０は、これらの情報を近距離無線通信を介して情報媒体３０から取得することができる。そして、上述したように、携帯端末１０は、情報媒体３０から取得したＩＰアドレスが示す画像形成装置２０に対して印刷ジョブを送信することで、この画像形成装置２０において印刷ジョブが実行される。
【００１６】
なお、上記で説明した印刷システム１は、例えば、携帯端末１０から送信された印刷ジョブを蓄積する印刷サーバなどを有する構成であってもよい。また、印刷システム１は、携帯端末１０を１台以上の任意の台数有する構成であってもよい。
【００１７】
＜ハードウェア構成＞
≪携帯端末≫
本実施形態に係る携帯端末１０は、例えば図２に示すようなハードウェア構成により実現される。図２は、第１の実施形態に係る携帯端末の一例のハードウェア構成図である。図２に示す携帯端末１０は、入力装置１０１、表示装置１０２、外部Ｉ／Ｆ１０３、ＲＡＭ（Random Access Memory）１０４、ＲＯＭ（Read Only Memory）１０５、ＣＰＵ（Central Processing Unit）１０６、通信Ｉ／Ｆ１０７、ＳＳＤ（Solid State Drive）１０８、及び近距離無線通信装置１０９などを備え、それぞれがバスＢで相互に接続されている。
【００１８】
入力装置１０１は、例えば、タッチパネルであり、携帯端末１０に各操作信号を入力するのに用いられる。なお、入力装置１０１は、キーボードやマウスなどであってもよい。表示装置１０２は、例えば、ＬＣＤ（Liquid Crystal Display）などであり、携帯端末１０による処理結果を表示する。
【００１９】
外部Ｉ／Ｆ１０３は、外部装置とのインタフェースである。外部装置には、記録媒体１０３ａなどがある。記憶媒体１０３ａには、実施形態を実現するプログラムを格納することができる。携帯端末１０は外部Ｉ／Ｆ１０３を介して、記録媒体１０３ａの読み取り及び／又は書き込みを行うことができる。
【００２０】
記録媒体１０３ａは、例えば、ＳＤメモリカード（SD Memory card）などの記録媒体である。記録媒体１０３ａは、ＵＳＢメモリ（Universal Serial Bus memory）、ＤＶＤ（Digital Versatile Disk）、ＣＤ（Compact Disk）、フレキシブルディスクなどの記録媒体であってもよい。
【００２１】
ＲＡＭ１０４は、プログラムやデータを一時保持する揮発性の半導体メモリ（記憶装置）である。ＲＯＭ１０５は、電源を切ってもプログラムやデータを保持することができる不揮発性の半導体メモリ（記憶装置）である。ＲＯＭ１０５には、携帯端末１０の起動時に実行されるＢＩＯＳ（Basic Input/Output System）、ＯＳ設定、及びネットワーク設定などのプログラムやデータが格納されている。
【００２２】
ＣＰＵ１０６は、ＲＯＭ１０５やＳＳＤ１０８などの記憶装置からプログラムやデータをＲＡＭ１０４上に読み出し、処理を実行することで、携帯端末１０全体の制御や機能を実現する演算装置である。
【００２３】
通信Ｉ／Ｆ１０７は、携帯端末１０を携帯電話網やインターネット等に接続するためのインタフェースである。これにより、携帯端末１０は通信Ｉ／Ｆ１０７を介してデータ通信を行うことができる。
【００２４】
ＳＳＤ１０８は、プログラムやデータを格納している不揮発性の記憶装置である。格納されるプログラムやデータには、例えば携帯端末１０全体を制御する基本ソフトウェアであるＯＳ（Operating System）や、ＯＳ上において各種機能を提供するアプリケーションソフトウェアなどがある。ＳＳＤ１０８は格納しているプログラムやデータを所定のファイルシステム及び／又はＤＢ（データベース）により管理している。なお、情報処理装置１は、ＳＳＤ１０８の代わりに又はＳＳＤ１０８と併せて、ＨＤＤ（Hard Disk Drive）等を備えていてもよい。
【００２５】
近距離無線通信装置１０９は、例えば、ＮＦＣチップなどである。これにより、携帯端末１０は、近距離無線通信装置１０９を介してデータ通信を行うことができる。
【００２６】
本実施形態に係る携帯端末１０は、上記したハードウェア構成により後述するような各種処理を実現できる。
【００２７】
≪画像形成装置及び情報媒体≫
本実施形態に係る画像形成装置２０及び情報媒体３０は、例えば図３に示すようなハードウェア構成により実現される。図３は、第１の実施形態に係る画像形成装置及び情報媒体の一例のハードウェア構成図である。図３に示される画像形成装置２０は、コントローラ２０１、操作パネル２０２、外部Ｉ／Ｆ２０３、通信Ｉ／Ｆ２０４、及びプリンタ２０５などを有している。また、画像形成装置２０の外部（筐体）には、情報媒体３０を実現する構成として近距離無線通信装置３０１が貼り付けられている。
【００２８】
コントローラ２０１はＣＰＵ２１１、ＲＡＭ２１２、ＲＯＭ２１３と、ＮＶＲＡＭ２１４、ＨＤＤ２１５を有する。ＲＯＭ２１３は、各種プログラムやデータが格納されている。ＲＡＭ２１２はプログラムやデータを一時保持する。ＮＶＲＡＭ２１４は、例えば設定情報等が格納されている。また、ＨＤＤ２１５は各種プログラムやデータが格納されている。
【００２９】
ＣＰＵ２１１は、ＲＯＭ２１３やＮＶＲＡＭ２１４、ＨＤＤ２１５などからプログラムやデータ、設定情報等をＲＡＭ２１２上に読み出し、処理を実行することで、画像形成装置２０全体の制御や機能を実現する。
【００３０】
操作パネル２０２はユーザからの入力を受け付ける入力部と、表示を行う表示部とを備えている。外部Ｉ／Ｆ２０３は外部装置とのインタフェースである。外部装置には、記録媒体２０３ａ等がある。これにより、画像形成装置２０は外部Ｉ／Ｆ２０３を介して記録媒体２０３ａの読み取り及び／又は書き込みを行うことができる。記録媒体２０３ａには、フレキシブルディスク、ＣＤ、ＤＶＤ、ＳＤメモリカード、ＵＳＢメモリなどがある。
【００３１】
通信Ｉ／Ｆ２０４は、画像形成装置２０をネットワークＮ１に接続するインタフェースである。これにより、画像形成装置２０は通信Ｉ／Ｆ２０４を介してデータ通信を行うことができる。プリンタ２０５は、印刷対象データを印刷して出力するための印刷装置（画像処理エンジン）である。
【００３２】
近距離無線通信装置３０１は、例えば、ＮＦＣチップなどである。情報媒体３０は、近距離無線通信装置３０１を介して、携帯端末１０とデータ通信を行うことができる。近距離無線通信装置３０１は、例えば、ＮＦＣチップが画像形成装置２０の筐体の所定の位置に貼り付けられて構成されているなど、画像形成装置２０の外部に構成されている。この場合、ＮＦＣチップは、携帯端末１０との間で近距離無線通信が容易な位置に貼り付けされることが好ましい。
【００３３】
なお、近距離無線通信装置３０１は、画像形成装置２０の外部に構成されずに、携帯端末１０との間で近距離無線通信が可能な範囲内で、画像形成装置２０の内部に構成されていてもよい。
【００３４】
本実施形態に係る画像形成装置２０及び情報媒体３０は、上記したハードウェア構成により後述するような各種処理を実現できる。
【００３５】
＜ソフトウェア構成＞
本実施形態に係る印刷システム１は、例えば図４に示すような機能ブロックにより表すことができる。図４は、第１の実施形態に係る印刷システムの一例の機能ブロック図である。
【００３６】
印刷システム１の携帯端末１０は、全体制御部１１、情報取得部１２、情報記憶部１３、機器固有情報取得部１４、機器固有情報照合部１５、ＵＩ表示部１６、処理要求部１７などを有する。また、印刷システム１の画像形成装置２０は、プリント機能部２１などを有する。
【００３７】
全体制御部１１は、ＣＰＵ１０６などにより実現され、例えばユーザが入力装置１０１を介して行った操作や携帯端末１０の各部からの要求に応じて、他の各部に処理を要求する。
【００３８】
情報取得部１２は、ＣＰＵ１０６、近距離無線通信装置１０９などにより実現され、近距離無線通信を介して、情報媒体３０からＩＰアドレス、機器固有情報などの情報を取得する。なお、以降では、後述する機器固有情報取得部１４により取得された機器固有情報と区別するため、情報取得部１２により情報媒体３０から取得された機器固有情報を「第１の機器固有情報」と表す。また、情報取得部１２により取得されたＩＰアドレスは、第１のアドレス情報の一例である。
【００３９】
ここで、機器固有情報とは、上述したように画像形成装置２０を一意に識別する情報である。機器固有情報は、例えば、画像形成装置２０の製造固有番号（シリアルナンバー）、ＭＡＣ（Media Access Control）アドレス、又はこれらの組合せなどである。また、機器固有情報は、例えば、製造固有番号（シリアルナンバー）、ＭＡＣアドレス、又はこれらの組合せなどを所定のアルゴリズムのハッシュ関数に入力して得た値（ハッシュ値）などでもよい。
【００４０】
情報記憶部１３は、ＲＯＭ１０５、ＳＳＤ１０８などにより実現され、情報取得部１２により取得された第１の機器固有情報と、機器固有情報取得部１４により取得された機器固有情報とを記憶する。
【００４１】
機器固有情報取得部１４は、ＣＰＵ１０６、通信Ｉ／Ｆ１０５などにより実現され、情報取得部１２により情報媒体３０から取得されたＩＰアドレスに基づき、このＩＰアドレスが示す画像形成装置２０から機器固有情報を取得する。なお、以降では、上記の第１の機器固有情報と区別するため、機器固有情報取得部１４により取得された機器固有情報を「第２の機器固有情報」と表す。
【００４２】
機器固有情報照合部１５は、ＣＰＵ１０６などにより実現され、情報記憶部１３に記憶された第１の機器固有情報と、機器固有情報取得部１４により取得された第２の機器固有情報とが同一であるか否かについて判定する。
【００４３】
ＵＩ表示部１６は、ＣＰＵ１０６、表示装置１０２などにより実現され、ＵＩ（ユーザインタフェース）画面の生成及び表示を行う。
【００４４】
処理要求部１７は、ＣＰＵ１０６などにより実現され、画像形成装置２０に対して印刷ジョブの実行を要求する。
【００４５】
プリント機能部２１は、プリンタ２０５などにより実現され、携帯端末１０の処理要求部１７から実行を要求された印刷ジョブに含まれる印刷対象データを印刷する。なお、画像形成装置２０は、プリント機能部２１に加えて、読み取った原稿から画像データ（電子データ）を生成するためのスキャン機能部、読み取った原稿を複製するコピー機能部、読み取った原稿又は電子データを電話回線などを介してＦＡＸ送信するＦＡＸ機能部などを有していてもよい。
【００４６】
情報媒体３０は、近距離無線通信装置３０１により実現され、この情報媒体３０が貼り付けられている画像形成装置２０のＩＰアドレスや機器固有情報などの情報を記憶している。また、情報媒体３０は、携帯端末１０の情報取得部１２からの要求に応じて、近距離無線通信を介して、自身が記憶しているＩＰアドレスや機器固有情報などの情報を携帯端末１０に送信する。
【００４７】
＜処理の詳細＞
次に、第１の実施形態に係る印刷システム１の処理の詳細について説明する。まず、第１の実施形態に係る印刷システム１の印刷処理の流れについて説明する。図５は、第１の実施形態に係る印刷処理の一例のフローチャートである。
【００４８】
ステップＳ５１において、ユーザは、携帯端末１０に搭載された印刷アプリケーションから印刷対象データを選択し、印刷指示を行う。すると、携帯端末１０の表示装置１０２上に、例えば、携帯端末１０を印刷を行いたい画像形成装置２０にかざすことを促す画面が表示される。
【００４９】
ステップＳ５２において、ユーザは、印刷対象データの印刷を行いたい、所望の画像形成装置２０に貼り付けられているＮＦＣチップ（情報媒体３０）に、携帯端末１０をかざす。
【００５０】
ステップＳ５３において、携帯端末１０の情報取得部１２は、情報媒体３０からＩＰアドレスと、機器固有情報（第１の機器固有情報）とを取得する。
【００５１】
ステップＳ５４において、携帯端末１０の機器固有情報取得部１４は、情報媒体３０から取得したＩＰアドレスに基づき、このＩＰアドレスが示す画像形成装置２０から第２の機器固有情報を取得する。
【００５２】
ステップＳ５５において、携帯端末１０の機器固有情報照合部１５は、情報媒体３０から取得した第１の機器固有情報と、情報媒体３０から取得したＩＰアドレスに基づき取得した第２の機器固有情報とが同一であるか否かを判定する。第１の機器固有情報と第２の機器固有情報とが同一である場合、ステップＳ５６に進む一方、第１の機器固有情報と第２の機器固有情報とが異なる場合、ステップＳ５７に進む。
【００５３】
上記のことは、換言すれば、ユーザがステップＳ５２において携帯端末１０をかざしたＮＦＣチップ（情報媒体３０）が貼り付けれている画像形成装置２０のＩＰアドレスが変更されている場合、ステップＳ５７に進む一方、変更されていない場合、ステップＳ５６に進むということができる。
【００５４】
ステップＳ５６において、携帯端末１０の処理要求部１７は、第１の機器固有情報と第２の機器固有情報とが同一である場合、情報媒体３０から取得したＩＰアドレスが示す画像形成装置２０に対して印刷ジョブを送信する。そして、画像形成装置２０のプリント機能部２１は、携帯端末１０から印刷ジョブを受け取ると、この印刷ジョブに含まれる印刷対象データを印刷する。
【００５５】
ステップＳ５７において、携帯端末１０のＵＩ表示部１６は、第１の機器固有情報と第２の機器固有情報とが同一でない場合、例えば、表示装置１０２にＩＰアドレスが変更になったことを示す警告画面を表示させる。これにより、例えば、画像形成装置２０のＩＰアドレスがＤＨＣＰを用いて割り当てられているような場合、ユーザは、所望の画像形成装置２０のＩＰアドレスが（情報媒体３０にＩＰアドレスが書き込まれた時から）変更されていることを知ることができる。したがって、ユーザが意図しない画像形成装置２０に対して印刷ジョブを送信し、印刷対象データが印刷されてしまうことを防止することができる。
【００５６】
次に、第１の実施形態に係る印刷システム１の印刷処理の詳細な流れについて説明する。図６は、第１の実施形態に係る印刷処理の一例のシーケンス図である。
【００５７】
ステップＳ６１において、ユーザは、携帯端末１０のＵＩ表示部１６を介して、携帯端末１０に搭載された印刷アプリケーションから所望の印刷対象データを選択し、印刷指示を行う。
【００５８】
ステップＳ６２において、携帯端末１０のＵＩ表示部１６は、印刷アプリケーションから印刷指示を受け付けると、印刷ジョブの実行通知を全体制御部１１に対して行う。また、携帯端末１０のＵＩ表示部１６は、表示装置１０２上に、例えば、印刷を行いたい画像形成装置２０の情報媒体３０（ＮＦＣチップ）に携帯端末１０をかざすことを促す画面が表示させる。
【００５９】
ステップＳ６３において、携帯端末１０の全体制御部１１は、情報取得部１２に対して近距離無線通信を介したＩＰアドレスや第１の機器固有情報などの取得要求を行う。これにより、携帯端末１０は、情報媒体３０と近距離無線通信が可能な状態となり、ユーザが携帯端末１０を情報媒体３０にかざす動作を行うまで、上記のステップＳ６２における画面が表示された状態を維持する。
【００６０】
ステップＳ６４において、ユーザは、印刷対象データの印刷を行いたい、所望の画像形成装置２０に貼り付けられているＮＦＣチップ（情報媒体３０）に、携帯端末１０をかざす。すると、携帯端末１０の情報取得部１２は、近距離無線通信を介して、情報媒体３０からＩＰアドレスと第１の機器固有情報とを取得する。なお、このとき、情報取得部１２は、例えば、ＳＳＩＤ（Service Set Identifier）や暗号化方式に関する情報、ネットワークを利用するためのパスワード、画像形成装置２０の機能を利用する際に利用するＨＴＴＰ（HyperText Transfer Protocol）又はＨＴＴＰＳ（HTTP over SSL/TLS）ポート番号などを取得してもよい。
【００６１】
なお、上記では、携帯端末１０の情報取得部１２は、近距離無線通信を介して、情報媒体３０からＩＰアドレスや第１の機器固有情報などを取得したが、これに限られない。例えば、画像形成装置２０の外部に情報媒体３０としてＱＲコード（登録商標）が貼り付けられており、ユーザは、携帯端末１０のカメラ装置（不図示）を用いて、このＱＲコードを読み取ることにより、情報媒体３０からＩＰアドレスや第１の機器固有情報などを取得するようにしてもよい。
【００６２】
ステップＳ６５において、携帯端末１０の情報取得部１２は、全体制御部１１に対して情報媒体３０からＩＰアドレスや第１の機器固有情報などの情報を取得したことを通知する。
【００６３】
ステップＳ６６において、携帯端末１０の全体制御部１１は、上記のステップＳ６４で情報取得部１２により取得された第１の機器固有情報を情報記憶部１３に記憶させる。
【００６４】
ステップＳ６７において、携帯端末１０の全体制御部１１は、第２の機器固有情報の取得要求を機器固有情報取得部１４に対して行う。
【００６５】
ステップＳ６８において、携帯端末１０の機器固有情報取得部１４は、上記のステップＳ６４で情報取得部１２により取得されたＩＰアドレスに基づき、このＩＰアドレスが示す画像形成装置２０の機器固有情報（第２の機器固有情報）を取得する。
【００６６】
なお、上記の機器固有情報は、例えば機器固有情報が画像形成装置２０の製造固有番号（シリアルナンバー）やＭＡＣアドレスである場合、ＭＩＢ（Management Information Base）を用いて取得することができる。また、例えば、画像形成装置２０により提供されるＷｅｂＡＰＩを用いて取得することもできる。また、例えば機器固有情報が画像形成装置２０のＭＡＣアドレスである場合、ＡＲＰ（Address Resolution Protocol）を用いて取得することもできる。
【００６７】
ステップＳ６９において、携帯端末１０の全体制御部１１は、上記のステップＳ６８で機器固有情報取得部１４により取得された第２の機器固有情報を情報記憶部１３に記憶させる。
【００６８】
ステップＳ７０において、携帯端末１０の全体制御部１１は、第１の機器固有情報と第２の機器固有情報とが同一であるか否かの判定を機器固有情報照合部１５に対して要求する。
【００６９】
ステップＳ７１において、携帯端末１０の機器固有情報照合部１５は、情報記憶部１３から第１の機器固有情報と第２の機器固有情報とを取得する。
【００７０】
ステップＳ７２において、携帯端末１０の機器固有情報照合部１５は、情報記憶部１３から取得した第１の機器固有情報と第２の機器固有情報とが同一であるか否かを判定し、判定結果を全体制御部１１に返す。そして、携帯端末１０の全体制御部１１は、機器固有情報照合部１５から受け取った判定結果に応じて、第１の機器固有情報と第２の機器固有情報と同一でない場合、ステップＳ７３の処理を行う一方、第１の機器固有情報と第２の機器固有情報と同一である場合、ステップＳ７５の処理を行う。
【００７１】
ステップＳ７３において、携帯端末１０の全体制御部１１は、ユーザが印刷を行いたいと所望する（印刷ジョブの実行を所望する）画像形成装置２０のＩＰアドレスが変更されたことを示す警告画面の表示要求をＵＩ表示部１６に対して行う。
【００７２】
ステップＳ７４において、携帯端末１０のＵＩ表示部１６は、警告画面を生成し、携帯端末１０の表示装置１０２に表示させる。ここで表示させる警告画面は、例えば図７に示すような警告画面１０００である。図７は、警告画面の一例を説明するための図である。
【００７３】
図７に示す警告画面１０００では、ユーザが印刷ジョブを実行しようとしている画像形成装置２０の機器固有情報とともに、この画像形成装置２０のＩＰアドレスが変更された可能性があることを示すメッセージが表示されている。これにより、例えば、画像形成装置２０のＩＰアドレスをＤＨＣＰを用いて割り当てているような場合、ユーザは、印刷を行いたい所望の画像形成装置２０のＩＰアドレスが変更されたことを知ることができる。したがって、ユーザが意図しない画像形成装置２０に対して印刷ジョブを送信し、印刷対象データが印刷されてしまうことを防止することができる。
【００７４】
図７に示す警告画面１０００において、ユーザが例えばＯＫボタン１００１を押下した場合、上記のステップＳ６４において情報取得部１２により取得されたＩＰアドレスが示す画像形成装置２０において印刷ジョブが実行される。したがって、この場合、ユーザが携帯端末１０をかざした情報媒体３０が貼り付けられている画像形成装置２０とは異なる他の画像形成装置２０（情報取得部１２により取得されたＩＰアドレスが示す画像形成装置２０）において印刷ジョブが実行され、印刷対象データが印刷される。他方、警告画面１０００において、ユーザが例えばＣａｎｃｅｌボタン１００２を押下した、印刷ジョブの実行は中止される。
【００７５】
また、図７に示す警告画面１０００において、ユーザが例えば手動出力先設定ボタン１００３を押下すると、任意のＩＰアドレスを手動で入力することができるようにしてもよい。これにより、警告画面１０００が表示された場合においてもユーザは、所望の画像形成装置２０のＩＰアドレスを入力することにより、この入力されたＩＰアドレスが示す画像形成装置２０において印刷ジョブを実行させることができる。
【００７６】
ステップＳ７５において、携帯端末１０の全体制御部１１は、上記のステップＳ６１で選択された印刷対象データを含む印刷ジョブの実行要求を処理要求部１７に対して行う。
【００７７】
ステップＳ７６において、携帯端末１０の処理要求部１７は、全体制御部１１から印刷ジョブの実行要求を受け取ると、上記のステップＳ６４で情報取得部１２により取得されたＩＰアドレスが示す画像形成装置２０に対して印刷ジョブを送信し、この印刷ジョブの実行要求を行う。
【００７８】
ステップＳ７７において、画像形成装置２０のプリント機能部２１は、携帯端末１０から印刷ジョブを受け取ると、受け取った印刷ジョブを実行し、この印刷ジョブに含まれる印刷対象データを印刷する。これにより、ユーザは、所望の印刷対象データを所望の画像形成装置２０で印刷することができる。
【００７９】
［第２の実施形態］
次に、第２の実施形態に係る印刷システム１について説明する。第２の実施形態に係る印刷システム１では、第１の機器固有情報と第２の機器固有情報とが同一でない場合、メール送信を行うことで、所望の画像形成装置２０のＩＰアドレスを取得する。したがって、ユーザは、印刷を行いたい所望の画像形成装置２０のＩＰアドレスが変更されている場合においても、所望の画像形成装置２０で印刷ジョブの実行をさせることができるようになる。また、第２の実施形態に係る印刷システム１では、携帯端末１０は変更後のＩＰアドレスを取得すると、このＩＰアドレスを情報媒体３０に書き込み、ＩＰアドレスを更新する。なお、以降では、第１の実施形態と実質的に同一の機能を有する箇所及び同一の処理を行う箇所については、第１の実施形態と同一の符号を用い、適宜その説明を省略する。
【００８０】
＜ソフトウェア構成＞
本実施形態に係る印刷システム１は、例えば図８に示すような機能ブロックにより表すことができる。図８は、第２の実施形態に係る印刷システムの一例の機能ブロック図である。なお、画像形成装置２０及び情報媒体３０の機能ブロックは、第１の実施形態と同様である。一方、携帯端末１０は、第１の実施形態の構成に加えて、情報更新部１８、メール送受信部１９を有する。
【００８１】
情報更新部１８は、ＣＰＵ１０６、近距離無線通信装置１０９により実現され、情報媒体３０に記憶されている情報を更新する。
【００８２】
メール送受信部１９は、ＣＰＵ１０６、通信Ｉ／Ｆ１０７により実現され、機器固有情報照合部１５の判定結果に応じて、画像形成装置２０に対してＩＰアドレスを取得するためのメールを送信する。また、メール送受信部１９は、画像形成装置２０から返信されたメールを受信する。
【００８３】
＜処理の詳細＞
次に、第２の実施形態に係る印刷システム１の処理の詳細について説明する。まず、第２の実施形態に係る印刷システム１の印刷処理の流れについて説明する。図９は、第２の実施形態に係る印刷処理の一例のフローチャートである。第２の実施形態では、ステップＳ９１〜ステップＳ９３の処理が第１の実施形態と異なる。したがって、これらの処理についてのみ説明し、他の処理についてはその説明を省略する。
【００８４】
ステップＳ９１において、携帯端末１０の情報取得部１２は、情報媒体３０からＩＰアドレスと、機器固有情報（第１の機器固有情報）と、この情報媒体３０が貼り付けられている画像形成装置２０のメールアドレスとを取得する。なお、以降では、メール送受信部１９により取得されたＩＰアドレスと区別するため、情報媒体３０から情報取得部１２により取得されたＩＰアドレスを「第１のＩＰアドレス」と表す。
【００８５】
ステップＳ９２において、携帯端末１０のメール送受信部１９は、上記のステップＳ９１において取得されたメールアドレス宛にＩＰアドレスの取得を要求するメールを送信し、所望の画像形成装置２０のＩＰアドレスを取得する。なお、以降では、上記の第１のＩＰアドレスと区別するため、メール送受信部１９により取得されたＩＰアドレスを「第２のＩＰアドレス」と表す。このような、第２のＩＰアドレスは、第３のアドレス情報の一例である。
【００８６】
そして、携帯端末１０の情報更新部１８は情報媒体３０に記憶されている第１のＩＰアドレスを、第２のＩＰアドレスで更新（書き換え）する。これにより、第１のＩＰアドレスの情報は、第２のＩＰアドレスの情報と同一となる。
【００８７】
ステップＳ９３において、携帯端末１０の処理要求部１７は、機器固有情報照合部１５の判定結果に応じて、第１のＩＰアドレスが示す画像形成装置２０又は第２のＩＰアドレスが示す画像形成装置２０のいずれかに対して印刷ジョブを送信する。そして、画像形成装置２０のプリント機能部２１は、携帯端末１０から印刷ジョブを受け取ると、この印刷ジョブに含まれる印刷対象データを印刷する。このように、第２の実施形態では、所望の画像形成装置２０のＩＰアドレスが変更された場合においても、メールを送信し、変更後のＩＰアドレスを取得することで所望の画像形成装置２０で印刷ジョブを実行させることができるようになる。
【００８８】
次に、第２の実施形態に係る印刷システム１の印刷処理の詳細な流れについて説明する。図１０は、第２の実施形態に係る印刷処理の一例のシーケンス図である。第２の実施形態では、ステップＳ１０１〜ステップＳ１０８の処理が第１の実施形態と異なる。したがって、これらの処理についてのみ説明し、他の処理についてはその説明を省略する。
【００８９】
ステップＳ１０１において、携帯端末１０の全体制御部１１は、情報取得部１２に対して近距離無線通信を介した第１のＩＰアドレスと第１の機器固有情報とメールアドレスの取得要求を行う。なお、ここで、取得するメールアドレスは所望の画像形成装置２０のメールアドレスである。このようなメールアドレスは、第２のアドレス情報の一例である。
【００９０】
これにより、携帯端末１０は、情報媒体３０と近距離無線通信が可能な状態となり、ユーザが携帯端末１０を情報媒体３０にかざす動作を行うまで、ステップＳ６２における画面が表示された状態を維持する。
【００９１】
なお、上記においては、所望の画像形成装置２０のメールアドレスを取得したが、これに限られない。例えば、印刷システム１に含まれる各画像形成装置２０のＩＰアドレスをＤＨＣＰにより割り当てている場合、ＤＨＣＰサーバのメールアドレスを取得するようにしてもよい。この場合、後述するステップＳ１０５の処理において、携帯端末１０のメール送受信部１９は、ＤＨＣＰサーバから所望の画像形成装置２０のＩＰアドレスを取得することができる。このようにすることで、印刷システム１に含まれる各画像形成装置２０に貼り付けられた情報媒体３０には、同一のメールアドレス（ＤＨＣＰサーバのメールアドレス）を書き込めばよく、管理者等の手間を軽減させることができる。
【００９２】
ステップＳ１０２において、ユーザは、印刷対象データの印刷を行いたい、所望の画像形成装置２０に貼り付けられているＮＦＣチップ（情報媒体３０）に、携帯端末１０をかざす。すると、携帯端末１０の情報取得部１２は、近距離無線通信を介して、情報媒体３０から第１のＩＰアドレスと、第１の機器固有情報と、メールアドレスとを取得する。なお、このとき、情報取得部１２は、例えば、ＳＳＩＤや暗号化方式に関する情報、ネットワークを利用するためのパスワード、画像形成装置２０の機能を利用する際に利用するＨＴＴＰ又はＨＴＴＰＳポート番号などを取得してもよいことは第１の実施形態と同様である。また、例えば、画像形成装置２０の外部に情報媒体３０としてＱＲコードが貼り付けられており、ユーザは、携帯端末１０のカメラ装置（不図示）を用いて、このＱＲコードを読み取ることにより、情報媒体３０からＩＰアドレス、第１の機器固有情報、メールアドレスなどを取得するようにしてもよいことも第１の実施形態と同様である。
【００９３】
ステップＳ１０３において、携帯端末１０の全体制御部１１は、機器固有情報照合部１５による判定結果が第１の機器固有情報と第２の機器固有情報とが同一でないものである場合、メール送受信部１９に対してメールの送信を要求する。
【００９４】
ステップＳ１０４において、携帯端末１０のメール送受信部１９は、上記のステップＳ１０２で情報取得部１２により取得されたメールアドレスに対して、ＩＰアドレス（第２のＩＰアドレス）の取得を要求するメールを送信する。なお、第２のＩＰアドレスの取得を要求するメールは、メール送受信部１９が直接送信してもよいし、例えば携帯端末１０に搭載されているメールソフトと連携して処理を行い、このメールソフトがメールを送信するようにしてもよい。また、メール送受信部１９は、単に、メールアドレスを携帯端末１０の表示装置１０２に表示させて、ユーザに対して当該メールアドレスへのメール送信を促すようにしてもよい。
【００９５】
ステップＳ１０５において、画像形成装置２０は、携帯端末１０からＩＰアドレスの取得を要求するメールを受け付けると、自身のＩＰアドレス（第２のＩＰアドレス）が記載されたメールを携帯端末１０に返信する。そして、携帯端末１０のメール送受信部１９は、画像形成装置２０から返信されたメール（返信メール）を受け付けると、第２のＩＰアドレスを取得したことを全体制御部１１に通知する。
【００９６】
なお、例えば、携帯端末１０に搭載されたメールソフトが返信メールを受信する場合、このメールソフトとメール送受信部１９が連携して処理を行い、メールソフトからメール送受信部１９に第２のＩＰアドレスが送信されるようにしてもよい。また、ユーザがメールソフトから返信メールを開き、この返信メールに記載された所定のリンク等をクリック（選択）した場合、メール送受信部１９に第２のＩＰアドレスが送信されるようにしてもよい。
【００９７】
他方、メール送受信部１９が返信メールを受信する場合、返信メールに記載されている第２のＩＰアドレスを自動的に取得するようにしてもよい。この場合、画像形成装置２０は、例えば、携帯端末１０に対して第２のＩＰアドレスを記載したＳＭＳ（Short Message Service）を送信する。すなわち、上記のステップＳ１０４において、メール送受信部１９は、携帯端末１０の電話番号を取得し、この取得した電話番号を記載したメールを画像形成装置２０に対して送信する。そして、画像形成装置２０は、この電話番号宛に第２のＩＰアドレスを記載したＳＭＳを送信する。
【００９８】
ステップＳ１０６において、携帯端末１０の全体制御部１１は、情報媒体３０に記憶されている第１のＩＰアドレスの更新要求を情報更新部１８に対して行う。
【００９９】
ステップＳ１０７において、携帯端末１０の情報更新部１８は、全体制御部１１から情報媒体３０の更新要求を受け付けると、情報媒体３０に記憶されている第１のＩＰアドレスを、上記のステップＳ１０５で取得した第２のＩＰアドレスと同一の情報に更新する。これにより、情報媒体３０に記憶されている第１のＩＰアドレスは、ユーザが印刷を行いたいと所望する画像形成装置２０に割り当てられているＩＰアドレスに更新される。そして、携帯端末１０の情報更新部１８は、情報媒体３０の更新が完了すると、更新が完了したことを全体制御部１１に通知する。
【０１００】
なお、携帯端末１０の情報更新部１８は、全体制御部１１から情報媒体３０の更新要求を受け付けると、携帯端末１０を更新対象の情報媒体３０にかざすことを促す画面を表示装置１０２に表示させてもよい。そして、その後、ユーザが携帯端末１０を情報媒体３０にかざした場合、近距離無線通信を介して、情報媒体３０に記憶されている第１のＩＰアドレスを第２のＩＰアドレスに更新するようにしてもよい。
【０１０１】
なお、上記の情報媒体３０に記憶されているＩＰアドレスの更新は、例えば、印刷システム１の管理者権限を有するユーザにのみ許可するようにしてもよい。
【０１０２】
ステップＳ１０８において、携帯端末１０の処理要求部１７は、全体制御部１１から印刷ジョブの実行要求を受け取ると、ステップＳ６４で情報取得部１２により取得された第１のＩＰアドレスが示す画像形成装置２０又はステップＳ１０５でメール送受信部１９により取得された第２のＩＰアドレスが示す画像形成装置２０に対して印刷ジョブを送信し、この印刷ジョブの実行要求を行う。すなわち、機器固有情報照合部１５による判定結果が、第１の機器固有情報と第２の機器固有情報とが同一であることを示すものである場合、処理要求部１７は、第１のＩＰアドレスが示す画像形成装置２０に対して印刷ジョブを送信する。他方、機器固有情報照合部１５による判定結果が、第１の機器固有情報と第２の機器固有情報とが異なることを示すものである場合、処理要求部１７は、第２のＩＰアドレスが示す画像形成装置２０に対して印刷ジョブを送信する。これにより、ユーザは、所望の画像形成装置２０のＩＰアドレスが変更されていた場合においても、意図する画像形成装置２０で印刷を行うことができる。
【０１０３】
［第３の実施形態］
次に、第３の実施形態に係る印刷システム１について説明する。第３の実施形態に係る画像形成装置２０は、操作パネルと本体部とがそれぞれが独立して電力制御を行うものである。なお、以降では、第２の実施形態と実質的に同一の機能を有する箇所及び同一の処理を行う箇所については、第２の実施形態と同一の符号を用い、適宜その説明を省略する。
【０１０４】
＜ハードウェア構成＞
第３の実施形態に係る画像形成装置２０は、例えば図１１に示すようなハードウェア構成により実現される。図１１は、第３の実施形態に係る画像形成装置及び情報媒体の一例のハードウェア構成図である。第３の実施形態に係る画像形成装置２０は、操作パネル２０２ＡがＣＰＵ２０６及び記憶装置２０７を有する点が異なる。ここで、記憶装置２０７は、例えばＲＡＭやＲＯＭ等である。
【０１０５】
また、第３の実施形態では、便宜上、コントローラ２０１、外部Ｉ／Ｆ２０３、通信Ｉ／Ｆ２０４、及びプリンタ２０５を、本体部２０８と表す。すなわち、画像形成装置２０は、ユーザインタフェースである操作パネル２０２Ａと、画像形成に関する処理等を行う本体部２０８とを含む。
【０１０６】
＜ソフトウェア構成＞
第３の実施形態に係る印刷システム１は、例えば図１２に示すような機能ブロックにより表すことができる。図１２は、第３の実施形態に係る印刷システムの一例の機能ブロック図である。
【０１０７】
第３の実施形態に係る画像形成装置２０は、電力制御部２２を有する点が第２の実施形態と異なる。
【０１０８】
電力制御部２２は、ＣＰＵ２１１、ＣＰＵ２０６などにより実現され、操作パネル２０２Ａ及び本体部２０８の電力状態を制御する。ここで、操作パネル２０２Ａ及び本体部２０８の電力状態について、図１３を用いて説明する。図１３は、操作パネル及び本体部の電力状態の一例を説明するための図である。
【０１０９】
図１３に示すように、操作パネル２０２Ａの電力状態は、操作パネル２０２Ａに電源が供給されている状態を示す「電源ＯＮ」と、操作パネル２０２Ａに電源が供給されていない状態を示す「電源ＯＦＦ」とがある。一方、本体部２０８の電力状態は、本体部２０８全体に電源が供給されている状態を示す「待機状態」と、本体部２０８のうちプリンタ２０５等の画像処理エンジンを除く各部に電源が供給されている状態を示す「エンジンＯＦＦ」とがある。また、本体部２０８の電力状態は、本体部２０８のうちＲＡＭ２１２等を除く各部に電源が供給されていない状態を示す「ＳＴＲ（Suspend To RAM）」がある。
【０１１０】
そして、図１３に示すように、操作パネル２０２Ａの電力状態が「電源ＯＮ」の場合、本体部２０８の電力状態は「待機状態」、「エンジンＯＦＦ」、「ＳＴＲ」のいずれかの状態をとり得ることができる。同様に、操作パネル２０２Ａの電力状態が「電源ＯＦＦ」の場合、本体部２０８の電力状態は「待機状態」、「エンジンＯＦＦ」、「ＳＴＲ」のいずれかの状態をとり得ることができる。
【０１１１】
このように、本実施形態に係る画像形成装置２０の電力制御部２２は、操作パネル２０２Ａ及び本体部２０８の電力状態を、それぞれ独立に制御することができる。これにより、本実施形態に係る印刷システム１では、画像形成装置２０の消費電力の削減を図ることができるとともに、印刷処理におけるユーザの待ち時間の削減を図ることができる。
【０１１２】
すなわち、第１の実施形態及び第２の実施形態で説明したように、画像形成装置２０における印刷処理は、ユーザが携帯端末１０を操作することにより行われる。したがって、画像形成装置２０の操作パネル２０２Ａの電力状態を「電源ＯＦＦ」とする一方で、本体部２０８の電力状態を「待機状態」又は「エンジンＯＦＦ」とすることにより、画像形成装置２０の消費電力の削減を図ることができる。換言すれば、ユーザが携帯端末１０を画像形成装置１０のユーザインタフェースとして用いる場合には、本体部２０８には電源を供給する一方で、操作パネル２０２Ａには電源の供給を抑止することで、消費電力の削減を図ることができる。
【０１１３】
また、本実施形態に係る画像形成装置２０では、上記で説明したように、操作パネル２０２Ａの電力状態を「電源ＯＦＦ」とする一方で、本体部２０８の電力状態を「待機状態」又は「エンジンＯＦＦ」とすることができる。したがって、画像形成装置２０全体に電力が供給されていない場合と比べて、印刷処理におけるユーザの待ち時間（すなわち、本体部２０８に電力を供給するのに要する時間）を削減することができる。
【０１１４】
ここで、例えば、ユーザが操作パネル２０２Ａを介して印刷処理を行う場合において、操作パネル２０２に対して操作や入力がなされないで所定の時間が経過した場合、電力制御部２２は、本体部２０８の電力状態を「ＳＴＲ」としてもよい。すなわち、操作パネル２０２Ａに対して最後の操作や入力がなされてから所定の時間が経過した場合、電力制御部２２は、操作パネル２０２Ａの電力状態は「電源ＯＮ」のままとする一方で、本体部２０８の電力状態を「ＳＴＲ」としてもよい。
【０１１５】
これにより、画像形成装置２０の消費電力を削減することができる。また、操作パネル２０２Ａの電力状態は「電源ＯＮ」のままであるため、ユーザの待ち時間も削減される。なお、本体部２０８の電力状態が「ＳＴＲ」である場合において、操作パネル２０２Ａに対して何らかの操作や入力がなされた場合、電力制御部２２は、本体部２０８の電力状態を「待機状態」とすればよい。
【０１１６】
また、電力制御部２２は、例えば画像形成装置２０のモードと連動させて、本体部２０８及び操作パネル２０２Ａの電力状態を制御してもよい。ここで、モードには、例えば、第１の実施形態や第２の実施形態で説明した携帯端末１０が情報媒体３０から取得したＩＰアドレスに基づいて印刷ジョブの実行要求を行うモードがある。また、モードには、例えば、印刷ジョブの実行要求に際してログインが必要なモードや印刷ジョブの実行要求に際してログインが不要なモードなどがある。
【０１１７】
このとき、電力制御部２２は、例えば、携帯端末１０が取得したＩＰアドレスに基づいて印刷ジョブの実行要求を行うモード、かつ、ログインが必要なモードの場合、本体部２０８の電力状態を「ＳＴＲ」、操作パネル２０２Ａの電力状態を「電源ＯＮ」とする。
【０１１８】
また、電力制御部２２は、例えば、携帯端末１０が取得したＩＰアドレスに基づいて印刷ジョブの実行要求を行うモード、かつ、ログインが不要なモードの場合、本体部２０８の電源状態を「待機状態」、操作パネル２０２Ａの電源状態を「電源ＯＦＦ」とする。
【０１１９】
また、電力制御部２２は、例えば、携帯端末１０が情報媒体３０からＩＰアドレスを取得しないモード、かつ、ログインが必要なモードの場合、本体部２０８の電力状態を「ＳＴＲ」、操作パネル２０２Ａの電力状態を「電源ＯＮ」とする。
【０１２０】
さらに、電力制御部２２は、例えば、携帯端末１０が情報媒体３０からＩＰアドレスを取得しないモード、かつ、ログインが不要なモードの場合、本体部２０８の電力状態を「ＳＴＲ」、操作パネル２０２Ａの電力状態を「電源ＯＦＦ」とする。
【０１２１】
＜まとめ＞
以上のように、第１の実施形態に係る印刷システム１では、情報媒体３０から取得した第１の機器固有情報と、情報媒体３０から取得したＩＰアドレスに基づき取得した第２の機器固有情報とが同一か否かを判定する。そして、同一でないと判定された場合、ユーザが印刷ジョブの実行を意図する画像形成装置２０のＩＰアドレスが変更されたものとみなして印刷ジョブの実行を中止する。これにより、ユーザが意図しない画像形成装置２０において印刷ジョブが実行されてしまう事態を防止することができる。
【０１２２】
また、第２の実施形態に係る印刷システム１では、第１の機器固有情報と第２の機器固有情報とが同一でないと判定された場合、所定のメールアドレスにメールを送信して、ユーザが印刷ジョブの実行を意図する所望の画像形成装置２０のＩＰアドレスを取得する。これにより、画像形成装置２０のＩＰアドレスが変更されていた場合においても、ユーザは所望の画像形成装置２０で印刷ジョブを実行させることができる。
【０１２３】
さらに、第３の実施形態に係る印刷システム１では、画像形成装置２０の操作パネル２０２Ａ及び本体部２０８は、それぞれ独立に電力制御が行われる。したがって、画像形成装置２０の消費電力の削減と、印刷処理におけるユーザ待ち時間の削減とを図ることができる。
【０１２４】
なお、情報取得部１２は、第１の取得手段の一例である。機器固有情報取得部１４は、第２の取得手段の一例である。機器固有情報照合部１５は、判定手段の一例である。処理要求部１７は、処理要求手段の一例である。ＵＩ表示部１６は、表示手段の一例である。メール送受信部１９は、第３の取得手段の一例である。情報更新部１８は、更新手段の一例である。
【０１２５】
本発明は、具体的に開示された上記の実施形態に限定されるものではなく、特許請求の範囲から逸脱することなく、種々の変形や変更が可能である。
【符号の説明】
【０１２６】
１      印刷システム
１０    携帯端末
１１    全体制御部
１２    情報取得部
１３    情報記憶部
１４    機器固有情報取得部
１５    機器固有情報照合部
１６    ＵＩ表示部
１７    処理要求部
１８    情報更新部
１９    メール送受信部
２０    画像形成装置
２１    プリント機能部
３０    情報媒体
【先行技術文献】
【特許文献】
【０１２７】
【特許文献１】特許第５１２１２１２号
【図１】
0006668610.tif 000002
【図２】
0006668610.tif 000003
【図３】
0006668610.tif 000004
【図４】
0006668610.tif 000005
【図５】
0006668610.tif 000006
【図６】
0006668610.tif 000007
【図７】
0006668610.tif 000008
【図８】
0006668610.tif 000009
【図９】
0006668610.tif 000010
【図１０】
0006668610.tif 000011
【図１１】
0006668610.tif 000012
【図１２】
0006668610.tif 000013
【図１３】
0006668610.tif 000014